(57)【要約】【課題】複数の同軸ケーブルのグラウンド導体を連結するグラウンド連結部材とグラウンドコンタクトとの電気的接続を、製造コストが嵩む事態を回避でき、特殊なグラウンド連結部材等を要さないもとで、容易かつ確実に行えるコネクタ装置を提供する。【解決手段】リセプタクルコネクタ４１に嵌合する接続嵌合部１８を形成する絶縁ハウジング１３, シグナルコンタクト，グラウンドコンタクト１７，シグナルコンタクトに接続されるシグナル導体３１を有した複数の同軸ケーブル１２のグラウンド導体３２を連結するグラウンド連結部材３０、及び、帯状部２３を有した導電性シェル２１とを備え、導電性シェル２１が、帯状部２３の一部を成してグラウンド連結部材３０に接続される第１のグラウンド接続部２６と帯状部２３から突出してグラウンドコンタクト１７に半田付け接続される第２のグラウンド接続部２９とを有する。【選択図】図１１
2011165357.tif 000002
【特許請求の範囲】
【請求項１】
リセプタクルコネクタに設けられた嵌合口部に差し込まれるべく第１の方向に伸びる接続嵌合部を形成する絶縁ハウジングと、
各々が上記接続嵌合部に配される接触部を有するものとされて上記第１の方向に配列配置され、複数の同軸ケーブルのシグナル導体が夫々接続されて、上記接触部が上記リセプタクルコネクタに配されたリセプタクル側シグナルコンタクトに接触するものとされる複数のシグナルコンタクトと、
上記接続嵌合部に配される接触部を有するものとされ、該接触部が上記リセプタクルコネクタに配されたリセプタクル側グラウンドコンタクトに接触するものとされるグラウンドコンタクトと、
上記第１の方向に伸びて、上記複数のシグナルコンタクトに夫々接続されるシグナル導体を有した複数の同軸ケーブルのグラウンド導体を電気的に連結するグラウンド連結部材と、
上記絶縁ハウジングにインサート成形により設けられ、該絶縁ハウジングにより保持されて上記第１の方向に伸びる帯状部を有した導電性シェルと、
を備えて成り、
上記導電性シェルが、上記帯状部の一部であって上記グラウンド連結部材との接続がなされる第１のグラウンド接続部と、上記帯状部における上記第１の方向に沿う一対の対向側縁部のうちの一方から突出するものとして形成され、上記グラウンドコンタクトとの半田付け接続がなされる第２のグラウンド接続部と、を備えることを特徴とするコネクタ装置。
【請求項２】
上記接続嵌合部に、上記シグナルコンタクト及び上記グラウンドコンタクトのいずれとしても機能しない一対のダミーコンタクトが、上記グラウンドコンタクトの接触部を挟んで配されることを特徴とする請求項１記載のコネクタ装置。
【請求項３】
上記導電性シェルが、上記第２のグラウンド接続部を、上記絶縁ハウジングが形成する上記接続嵌合部の上記第１の方向における略中央部分に対応する位置に配されるものとして有することを特徴とする請求項１記載のコネクタ装置。
【請求項４】
上記導電性シェルが、上記第２のグラウンド接続部を、上記グラウンドコンタクトを保持する二股部が先端に設けられたものとして有することを特徴とする請求項１記載のコネクタ装置。
【請求項５】
上記グラウンドコンタクトが、上記絶縁ハウジングが形成される際に、該絶縁ハウジングに上記導電性シェルと共にインサート成形により配置されることを特徴とする請求項１記載のコネクタ装置。
【請求項６】
上記絶縁ハウジング，複数のシグナルコンタクト，グラウンドコンタクト，グラウンド連結部材及び導電性シェルを部分的に覆う導電性カバーを備え、該導電性カバーに上記グラウンド連結部材及び上記導電性シェルが電気的に接続されることを特徴とする請求項１記載のコネクタ装置。
【発明の詳細な説明】
【技術分野】
【０００１】
本願の特許請求の範囲に記載された発明は、複数の同軸ケーブルが連結されて、ソリッド配線基板等に設置されたリセプタクルコネクタに差込接続される、プラグコネクタとして用いられるコネクタ装置に関する。
【背景技術】
【０００２】
複数の比較的細い同軸ケーブルを、各種の電気部品が取り付けられるソリッド配線基板に接続するにあたっては、複数の同軸ケーブルが連結されるプラグコネクタと、ソリッド配線基板に取り付けられて当該ソリッド配線基板との電気的接続がなされ、プラグコネクタが差込接続されるリセプタクルコネクタと、が用いられることが多い。
【０００３】
プラグコネクタがリセプタクルコネクタに差込接続されるにあたっては、プラグコネクタのリセプタクルコネクタに対する差込方向が、例えば、リセプタクルコネクタが取り付けられたソリッド配線基板の面と実質的に平行な方向とされる場合と、リセプタクルコネクタが取り付けられたソリッド配線基板の面に実質的に直交する方向とされる場合とがある。以下においては、必要に応じて、リセプタクルコネクタに対する差込方向が、リセプタクルコネクタが取り付けられたソリッド配線基板の面と実質的に平行な方向とされるプラグコネクタを、水平差込型のプラグコネクタといい、リセプタクルコネクタに対する差込方向が、リセプタクルコネクタが取り付けられたソリッド配線基板の面に実質的に直交する方向とされるプラグコネクタを、垂直差込型のプラグコネクタという。
【０００４】
このようなもとで、プラグコネクタは、リセプタクルコネクタに設けられた嵌合口部もしくは嵌合凹部に差し込まれてリセプタクルコネクタとの嵌合状態におかれる接続嵌合部が設けられた絶縁ハウジングを備え、その接続嵌合部に、当該プラグコネクタに連結される複数の同軸ケーブルの夫々におけるシグナル導体（内部導体）との電気的接続がなされる複数のシグナルコンタクトと、当該複数の同軸ケーブルの夫々におけるグラウンド導体（外部導体）との電気的接続がなされるグラウンドコンタクトとが配されるものとされる。斯かるプラグコネクタは、絶縁ハウジング，複数のシグナルコンタクト及びグラウンドコンタクトを部分的に覆い、グラウンド電位が与えられるものとされる、導電性カバーを備えることが多い。
【０００５】
そして、プラグコネクタの絶縁ハウジングに設けられた接続嵌合部が、リセプタクルコネクタに設けられた嵌合口部もしくは嵌合凹部に差し込まれてリセプタクルコネクタとの嵌合状態におかれるとき、複数のシグナルコンタクトが、リセプタクルコネクタ側の複数のシグナルコンタクトに夫々接触接続され、また、グラウンドコンタクトが、リセプタクルコネクタ側のグラウンドコンタクトに接触接続される。それにより、プラグコネクタに連結された複数の同軸ケーブルの夫々におけるシグナル導体が、プラグコネクタが電気的に接続された、例えば、ソリッド配線基板におけるシグナル端子に、プラグコネクタ及びリセプタクルコネクタを介して接続され、また、プラグコネクタに連結された複数の同軸ケーブルの夫々におけるグラウンド導体が、プラグコネクタが電気的に接続された例えば、ソリッド配線基板におけるグラウンド端子に、プラグコネクタ及びリセプタクルコネクタを介して接続される。
【０００６】
このようなプラグコネクタにおいて、それに連結された複数の同軸ケーブルの夫々におけるグラウンド導体とグラウンドコンタクトとの電気的接続をなすにあたっては、複数の同軸ケーブルの夫々におけるグラウンド導体を電気的に連結する、複数の同軸ケーブルに対して共通のグラウンド連結部材を用い、そのグラウンド連結部材をグラウンドコンタクトに電気的に接続するようにされることが多い。その際、グラウンド連結部材による複数の同軸ケーブルのグラウンド導体についての電気的連結は、例えば、複数の同軸ケーブルにそれらの夫々におけるグラウンド導体が露出する部分が特定の方向に配列配置される状態をとらせ、それにより配列配置された複数のグラウンド導体に特定の方向に伸びるグラウンド連結部材を共通に接触接続させることにより、容易に行われる。一方、複数の同軸ケーブルの夫々におけるグラウンド導体を連結したグラウンド連結部材をグラウンドコンタクトに電気的に接続するにあたっては、従来、下記のような手法が見られる。
【０００７】
従来における、グラウンド連結部材をグラウンドコンタクトに電気的に接続する手法の一つにあっては、垂直差込型のプラグコネクタにおいて、グラウンド連結部材に接触接続する導電性シェルが設けられ、その導電性シェルに、リセプタクルコネクタ側の導電性カバーに設けられたグラウンドコンタクトに接触接続されるグラウンドコンタクトが形成されることにより、実質的にグラウンド連結部材とグラウンドコンタクトとの電気的接続が達成される（例えば、特許文献１参照。）。また、従来における、グラウンド連結部材をグラウンドコンタクトに電気的に接続する手法の他の一つにあっては、垂直差込型のプラグコネクタにおいて、グラウンド連結部材にそれから突出する接続端子部が設けられ、その接続端子部とグラウンドコンタクトとの位置合せが行われて、接続端子部とグラウンドコンタクトとが電気的に接続される（例えば、特許文献２参照。）。
【０００８】
上述の特許文献１に開示されている、従来提案されているグラウンド連結部材をグラウンドコンタクトに電気的に接続する手法の他の一つが採用された垂直差込型のプラグコネクタ(8) にあっては、絶縁ハウジング（雄ハウジング9)に、配列配置された複数のシグナルコンタクト（雄接触子11) と導電性シェル（グランドフレーム12) とグラウンド連結部材（グランドバー4)が配される。グラウンド連結部材は、予め複数の同軸ケーブル（シールド電線3)に組み付けられたものとされて、同軸ケーブルと共に絶縁ハウジングに配される。導電性シェルには、それにおける長手方向（複数のシグナルコンタクトの配列方向）の中央部に、それから突出するグラウンドコンタクト（雄型突出片26) が形成されている。
【０００９】
グラウンドコンタクトは、プラグコネクタ(8) がリセプタクルコネクタ（レセプタクルコネクタ14) との嵌合状態におかれるとき、リセプタクルコネクタ側の導電性カバー（シュラウド16) に設けられたグラウンドコンタクト（雌型突出片39) に接触接続されるものとされ、斯かるグラウンドコンタクトが形成された導電性シェルがグラウンド連結部材と電気的に接続される。それにより、グラウンド連結部材がグラウンドコンタクトに電気的に接続された状態が得られる。
【００１０】
また、上述の特許文献２に開示されている、従来提案されているグラウンド連結部材をグラウンドコンタクトに電気的に接続する手法の一つが採用された垂直差込型のプラグコネクタ(1) にあっては、絶縁ハウジング（11) に、配列配置された複数のシグナルコンタクト（信号導電端子12) とグラウンドコンタクト（グランド導電端子13) と相互連結される二つのグラウンド連結部材（上部グランドバーGU及び下部グランドバーGD) とが配されている。そして、二つのグラウンド連結部材のうちの一方（上部グランドバーGU) における長手方向（複数のシグナルコンタクトの配列方向）の中央部に、それから突出する接続端子部（グランド接続舌片GUa)が形成されていて、その接続端子部がグラウンドコンタクトに半田接合される。それにより、グラウンド連結部材がグラウンドコンタクトに電気的に接続された状態が得られる。
【先行技術文献】
【特許文献】
【００１１】
【特許文献１】特開２００８−９７８７５号公報（第５〜８頁、図２〜５，７）
【特許文献２】特開２００８−１４７０２０号公報（第４〜８頁、図４〜１０）
【発明の概要】
【発明が解決しようとする課題】
【００１２】
上述の特許文献１に示されるような、グラウンド連結部材に接触接続する導電性シェルが設けられ、その導電性シェルに、リセプタクルコネクタ側の導電性カバーに設けられたグラウンドコンタクトに接触接続されるグラウンドコンタクトが形成されることにより、実質的にグラウンド連結部材とグラウンドコンタクトとの電気的接続が達成される、従来提案されている垂直差込型のプラグコネクタにあっては、導電性シェルに形成されたグラウンドコンタクトをリセプタクルコネクタ側の導電性カバーに設けられたグラウンドコンタクトに接触接続させるにあたり、その接触接続を確実にすべく、導電性シェルに形成されたグラウンドコンタクトを弾性を有していて、接触相手に対して弾性押圧力を作用させるものとする必要がある。このような、接触接続される際に接触相手に弾性押圧力を作用させるグラウンドコンタクトは、弾性を活かすための形状と比較的大なる寸法と周囲スペースとを必要とし、それにより、プラグコネクタ全体の大型化がまねかれることになってしまうという不都合を生じる。
【００１３】
また、上述の特許文献２に示されるような、グラウンド連結部材における複数のシグナルコンタクトの配列方向における中央部に、それから突出する接続端子部が形成されていて、その接続端子部がグラウンドコンタクトに半田接合されることにより、グラウンド連結部材がグラウンドコンタクトに電気的に接続された状態が得られる、従来提案されている垂直差込型のプラグコネクタにあっては、複数の同軸ケーブルの夫々におけるグラウンド導体を電気的に連結するグラウンド連結部材として、その長手方向の中央部にそれから突出する接続端子部が形成された特殊なものが必要とされる。それゆえ、特殊なグラウンド連結部材の調達のための製造コストが嵩むことになってしまう。
【００１４】
さらに、昨今、上述のようなプラグコネクタに対する要求度合が大である事柄として、複数のシグナルコンタクト及びグラウンドコンタクトについての狭ピッチ化が挙げられる。このような要求に応じて複数のシグナルコンタクト及びグラウンドコンタクトについての狭ピッチ化が図られた、特許文献２に示されるようなプラグコネクタにおいては、特殊なグラウンド連結部材の長手方向の中央部から突出する接続端子部を、絶縁ハウジングに配されたグラウンドコンタクトに半田付けするにあたり、接続端子部とグラウンドコンタクトとの両者に極めて高い寸法精度が求められ、さらには、接続端子部とグラウンドコンタクトとの正確な位置合せ及びその後の位置ズレ防止のための作業も必要とされることになり、その結果、作業工程が増加するとともに製造コストが嵩むという事態がまねかれてしまう。
【００１５】
斯かる点に鑑み、本願の特許請求の範囲に記載された発明は、複数のシグナルコンタクト及びグラウンドコンタクトが配列配置された接続嵌合部を形成する絶縁ハウジングと、絶縁ハウジングに配される複数の同軸ケーブルの夫々におけるグラウンド導体を電気的に連結するグラウンド連結部材とを備え、接続嵌合部がリセプタクルコネクタに設けられた嵌合口部に差し込まれてリセプタクルコネクタとの嵌合状態におかれるとき、複数のシグナルコンタクトがリセプタクルコネクタにおける複数のリセプタクル側シグナルコンタクトに夫々接触接続されるとともに、グラウンドコンタクトがリセプタクルコネクタにおけるリセプタクル側グラウンドコンタクトに接触接続される、水平差込型のプラグコネクタとして機能するものであって、グラウンド連結部材をグラウンドコンタクトに電気的に接続するにあたり、全体の大型化がまねかれることになる不都合を伴わず、しかも、特殊なグラウンド連結部材を必要とせず、作業工程が増加するとともに製造コストが嵩む事態を回避できるコネクタ装置を提供する。
【課題を解決するための手段】
【００１６】
本願の特許請求の範囲における請求項１から請求項６までのいずれかに記載された発明（以下、本発明という。）に係るコネクタ装置は、リセプタクルコネクタに設けられた嵌合口部に差し込まれるべく第１の方向に伸びる接続嵌合部を形成する絶縁ハウジングと、各々が接続嵌合部に配される接触部を有するものとされて第１の方向に配列配置され、複数の同軸ケーブルのシグナル導体が夫々接続されて、接触部がリセプタクルコネクタに配されたリセプタクル側シグナルコンタクトに接触するものとされる複数のシグナルコンタクトと、接続嵌合部に配される接触部を有するものとされ、その接触部がリセプタクルコネクタに配されたリセプタクル側グラウンドコンタクトに接触するものとされるグラウンドコンタクトと、第１の方向に伸びて、複数のシグナルコンタクトに夫々接続されるシグナル導体を有した複数の同軸ケーブルのグラウンド導体を電気的に連結するグラウンド連結部材と、絶縁ハウジングにインサート成形により設けられ、絶縁ハウジングにより保持されて第１の方向に伸びる帯状部を有した導電性シェルとを備えて成り、導電性シェルが、帯状部の一部であってグラウンド連結部材との接続がなされる第１のグラウンド接続部と、帯状部における第１の方向に沿う一対の対向側縁部のうちの一方から突出するものとして形成され、グラウンドコンタクトとの半田付け接続がなされる第２のグラウンド接続部とを有することを特徴とする。
【００１７】
特に、本発明に係るコネクタ装置のうちの請求項２に記載されたものにあっては、接続嵌合部に、シグナルコンタクト及びグラウンドコンタクトのいずれとしても機能しない一対のダミーコンタクトが、グラウンドコンタクトの接触部を挟んで配される。
【００１８】
さらに、本発明に係るコネクタ装置のうちの請求項５に記載されたものにあっては、グラウンドコンタクトが、絶縁ハウジングが形成される際に、絶縁ハウジングに導電性シェルと共にインサート成形により配置される。
【００１９】
上述のように構成される本発明に係るコネクタ装置にあっては、絶縁ハウジングに配された複数のシグナルコンタクトの配列方向が第１の方向とされるもとで、絶縁ハウジングにインサート成形により設けられ、絶縁ハウジングにより保持されて第１の方向に伸びる帯状部を有した導電性シェルが、その帯状部の一部であってグラウンド連結部材との接続がなされる第１のグラウンド接続部と、その帯状部における第１の方向に沿う一対の対向側縁部のうちの一方から突出するものとして形成され、グラウンドコンタクトとの半田付け接続がなされる第２のグラウンド接続部とを備えている。そして、第１のグラウンド接続部がグラウンド連結部材に接続されるとともに、第２のグラウンド接続部がグラウンドコンタクトに半田付け接続されることにより、グラウンド連結部材が導電性シェルを介してグラウンドコンタクトに電気的に接続される状態が得られる。
【００２０】
複数のシグナルコンタクトの夫々の接触部及びグラウンドコンタクトの接触部が配列配置される絶縁ハウジングが形成する接続嵌合部には、例えば、請求項２に記載された本発明に係るコネクタ装置におけるように、シグナルコンタクト及びグラウンドコンタクトのいずれとしても機能しない一対のダミーコンタクトが、グラウンドコンタクトの接触部を挟んで配される。
【００２１】
また、絶縁ハウジングに配されて導電性シェルの第２のグラウンド接続部との半田付け接続がなされるグラウンドコンタクトは、例えば、請求項５に記載された本発明に係るコネクタ装置におけるもののように、絶縁ハウジングが形成される際に、その絶縁ハウジングに、第１のグラウンド接続部及び第２のグラウンド接続部を備えた導電性シェルと共に、インサート成形により配置される。
【００２２】
また、導電性シェルとグラウンド連結部材との電気的接続は、導電性シェルの第１のグラウンド接続部がグラウンド連結部材に接続されることに加え、絶縁ハウジング，複数のシグナルコンタクト，グラウンドコンタクト，グラウンド連結部材及び導電性シェルを部分的に覆う導電性カバーが備えられる場合には、その導電性カバーを介在させても行われる。
【発明の効果】
【００２３】
上述のような本発明に係るコネクタ装置にあっては、複数のシグナルコンタクトに夫々接続されるシグナル導体を有した複数の同軸ケーブルのグラウンド導体を電気的に連結するグラウンド連結部材を、リセプタクルコネクタに配されたリセプタクル側グラウンドコンタクトに接触する接触部を有するグラウンドコンタクトに電気的に接続するにあたり、絶縁ハウジングにインサート成形により設けられ、絶縁ハウジングにより保持されて第１の方向に伸びる帯状部を有し、その帯状部に設けられた第１のグラウンド接続部と第２のグラウンド接続部とを備えた導電性シェルが用いられ、導電性シェルが備える第１のグラウンド接続部がグラウンド連結部材に接続されるとともに第２のグラウンド接続部がグラウンドコンタクトに半田付け接続されることにより、グラウンド連結部材が導電性シェルを介してグラウンドコンタクトに電気的に接続される状態が得られる。
【００２４】
このように、導電性シェルが備える第１のグラウンド接続部がグラウンド連結部材に接続されるとともに第２のグラウンド接続部がグラウンドコンタクトに半田付け接続されることにより、グラウンド連結部材が導電性シェルを介してグラウンドコンタクトに電気的に接続される状態が得られることにより、導電性シェルが備える第１のグラウンド接続部及び第２のグラウンド接続部とグラウンドコンタクトとは、それらのいずれもが、弾性を有していて接触相手に対して弾性押圧力を作用させるものとされる必要がない。それゆえ、導電性シェルが備える第１のグラウンド接続部及び第２のグラウンド接続部とグラウンドコンタクトとの夫々は、弾性を活かすための形状，比較的大なる寸法，周囲スペース等を必要としない、十分な小型化を図れるものとなり、従って、本発明に係るコネクタ装置は、全体の大型化がまねかれるという不都合を伴わないことになる。
【００２５】
また、本発明に係るコネクタ装置にあっては、導電性シェルが備える第２のグラウンド接続部との半田付け接続がなされるグラウンドコンタクトは、例えば、絶縁ハウジングが形成される際に、その絶縁ハウジングに、第１のグラウンド接続部及び第２のグラウンド接続部を備えた導電性シェルと共に、インサート成形により配置されるので、導電性シェルが備える第２のグラウンド接続部とグラウンドコンタクトとは、正確に位置決めされるとともに相互間の位置ズレが生じないものとされて絶縁ハウジングに配される。従って、導電性シェルが備える第２のグラウンド接続部とグラウンドコンタクトとの正確な位置合せ及びその後の位置ズレ防止のための作業を必要とすることなく、第２のグラウンド接続部がグラウンドコンタクトに半田付け接続された状態を得ることができる。また、導電性シェルが備える第１のグラウンド接続部とグラウンド連結部材との接続は、グラウンド連結部材が第１の方向に伸びているもとでなされるので、第１のグラウンド接続部とグラウンド連結部材との格別の位置合わせのための作業は必要とされない。その結果、導電性シェルが備える第１のグラウンド接続部がグラウンド連結部材に接続されるとともに第２のグラウンド接続部がグラウンドコンタクトに半田付け接続された状態を得るにあたり、作業工程が増加するとともに製造コストが嵩む事態を回避できる。
【００２６】
第２のグラウンド接続部のグラウンドコンタクトへの半田付け接続は、例えば、複数の同軸ケーブルの夫々のシグナル導体の複数のシグナルコンタクトのうちの対応するものへの半田付け接続とともに、パルスヒート方式による一括半田付けによって行うことができる。その際、請求項２に記載された本発明に係るコネクタ装置のように、複数のシグナルコンタクトの接触部及びグラウンドコンタクトの接触部が配列配置される絶縁ハウジングが形成する接続嵌合部に、グラウンドコンタクトの接触部を挟んで配される一対のダミーコンタクトが設けられるもとにあっては、余分な半田がグラウンドコンタクトとダミーコンタクトとの間に溜められることになり、第２のグラウンド接続部のグラウンドコンタクトへの半田付け接続を確実に行うことができるとともに、余分な半田が不所望な流出を生じる事態を防止することができる。
【００２７】
さらに、本発明に係るコネクタ装置にあっては、上述のようにしてグラウンド連結部材が導電性シェルを介してグラウンドコンタクトに電気的に接続される状態が得られるので、グラウンド連結部材をグラウンドコンタクトに電気的に接続するにあたって、特殊なグラウンド連結部材を必要とせず、これよりしても、製造コストが嵩む事態を回避できる。
【図面の簡単な説明】
【００２８】
【図１】本発明に係るコネクタ装置の一例をそれに連結された同軸ケーブルと共に示す上面側から見た斜視図である。
【図２】本発明に係るコネクタ装置の一例をそれに連結された同軸ケーブルと共に示す下面側から見た斜視図である。
【図３】本発明に係るコネクタ装置の一例が備える導電性シェルを示す斜視図である。
【図４】本発明に係るコネクタ装置の一例が備えるシグナルコンタクト，グラウンドコンタクト，ダミーコンタクト及び導電性シェルを示す斜視図である。
【図５】本発明に係るコネクタ装置の一例が備えるシグナルコンタクト，グラウンドコンタクト，ダミーコンタクト及び導電性シェルが配された絶縁ハウジングを示す斜視図である。
【図６】図５における鎖線枠Ｚ内を拡大して示す部分斜視図である。
【図７】本発明に係るコネクタ装置の一例が備えるシグナルコンタクト，グラウンドコンタクト，ダミーコンタクト及び導電性シェルが配された絶縁ハウジングに、グラウンド連結部材を伴った同軸ケーブルが設置された状態を示す斜視図である。
【図８】本発明に係るコネクタ装置の一例についての製造工程の説明に供される斜視図である。
【図９】図１におけるIX−IX線断面を示す断面図である。
【図１０】本発明に係るコネクタ装置の一例がリセプタクルコネクタに嵌合接続された状態を示す斜視図である。
【図１１】図１０におけるXI−XI線断面を示す断面図である。
【発明を実施するための形態】
【００２９】
本発明を実施するための形態は、以下に述べられる本発明についての実施例をもって説明される。
【実施例】
【００３０】
図１（上面側から見た斜視図）及び図２（下面側から見た斜視図）は、本発明に係るコネクタ装置の一例を成す、例えば、ソリッド配線基板等に取り付けられて当該ソリッド配線基板等との電気的接続がなされたリセプタクルコネクタに対する嵌合接続に供される、水平差込型のプラグコネクタをそれに装着された複数の同軸ケーブルと共に示す。
【００３１】
図１及び図２には、本発明に係るコネクタ装置の一例を成す水平差込型のプラグコネクタ１１が、それに装着された複数の同軸ケーブル１２と共に示されている。なお、プラグコネクタ１１について、便宜上、図１に示される面を上面と呼び、図２に示される面を上面に対向する下面と呼ぶこととする。
【００３２】
プラグコネクタ１１は、合成樹脂等の絶縁材料によって形成された絶縁ハウジング１３を備えており、絶縁ハウジング１３には、その長手方向（プラグコネクタ１１の長手方向（矢印Ｌにより示される方向：左右方向））に沿って、各々が導電材料で形成された複数のシグナルコンタクト１５と複数のシグナルコンタクト１６とが交互に配列配置されて設けられている。これらのシグナルコンタクト１５及びシグナルコンタクト１６は、全体で、複数のプラグ側シグナルコンタクトを形成している。即ち、絶縁ハウジング１３に配列配置された複数のプラグ側シグナルコンタクトが、複数のシグナルコンタクト１５と複数のシグナルコンタクト１６とを含むものとされているのである。そして、複数のシグナルコンタクト１５と複数のシグナルコンタクト１６とを含んだ複数のプラグ側シグナルコンタクトには、複数の同軸ケーブル１２のシグナル導体が夫々連結されている。
【００３３】
また、絶縁ハウジング１３には、複数のシグナルコンタクト１５及び複数のシグナルコンタクト１６の配列方向（以下、コンタクト配列方向という。）における略中央部分に対応する位置に、グラウンドコンタクト１７が設けられている。このグラウンドコンタクト１７は、絶縁ハウジング１３における複数のシグナルコンタクト１５と複数のシグナルコンタクト１６との配列配置の中央部となる位置に配されていることになる。そして、グラウンドコンタクト１７は、複数の同軸ケーブル１２の夫々のグラウンド導体にグラウンド電位を伝達する役割を果たす。
【００３４】
複数のシグナルコンタクト１５，複数のシグナルコンタクト１６及びグラウンドコンタクト１７は、例えば、燐青銅板材とされる金属材料によって形成される。
【００３５】
そして、複数のシグナルコンタクト１５の夫々は、プラグコネクタ１１がリセプタクルコネクタに差込接続されるとき、そのリセプタクルコネクタに配されたリセプタクル側シグナルコンタクトに接触する接触部１５ａを有しており、また、複数のシグナルコンタクト１６の夫々は、プラグコネクタ１１がリセプタクルコネクタに差込接続されるとき、そのリセプタクルコネクタに配されたリセプタクル側シグナルコンタクトに接触する接触部１６ａを有している。さらに、グラウンドコンタクト１７は、プラグコネクタ１１がリセプタクルコネクタに差込接続されるとき、そのリセプタクルコネクタに配されたリセプタクル側グラウンドコンタクトに接触する接触部１７ａを有している。
【００３６】
リセプタクルコネクタは、ソリッド配線基板等に取り付けられて当該ソリッド配線基板等との電気的接続がなされていて、リセプタクルコネクタに配されたリセプタクル側シグナルコンタクトは、ソリッド配線基板等におけるシグナル端子部に接続されており、また、リセプタクルコネクタに配されたリセプタクル側グラウンドコンタクトは、ソリッド配線基板等におけるグラウンド端子部に接続されて、グラウンド電位が与えられる。
【００３７】
このようなもとで、絶縁ハウジング１３における複数のシグナルコンタクト１５の夫々の接触部１５ａ，複数のシグナルコンタクト１６の夫々の接触部１６ａ及びグラウンドコンタクト１７の接触部１７ａが配列配置された部分１３ａは、絶縁ハウジング１３の長手方向に伸びる板状部とされていて、接続嵌合部１８を形成している。
【００３８】
絶縁ハウジング１３がその部分１３ａをもって形成する接続嵌合部１８は、プラグコネクタ１１が差込接続されるリセプタクルコネクタの絶縁ハウジングに設けられた嵌合口部に差し込まれ、それにより、プラグコネクタ１１とリセプタクルコネクタとの相互嵌合状態がとられる。接続嵌合部１８がリセプタクルコネクタの絶縁ハウジングに設けられた嵌合口部に差し込まれてリセプタクルコネクタとの嵌合状態におかれるとき、複数のシグナルコンタクト１５の夫々の接触部１５ａ及び複数のシグナルコンタクト１６の夫々の接触部１６ａが、リセプタクルコネクタに配された複数のリセプタクル側シグナルコンタクトに夫々接触して、複数のシグナルコンタクト１５及び１６と複数のリセプタクル側シグナルコンタクトとの間でのシグナル伝達が行われ、また、グラウンドコンタクト１７の接触部１７ａが、リセプタクルコネクタに配されたリセプタクル側グラウンドコンタクトに接触して、リセプタクル側グラウンドコンタクトに与えられたグラウンド電位がグラウンドコンタクト１７に伝達される。
【００３９】
また、接続嵌合部１８には、シグナルコンタクト及びグラウンドコンタクトのいずれとしても機能しない一対のダミーコンタクト１９が、グラウンドコンタクト１７の接触部１７ａを挟んで配されている。これらのダミーコンタクト１９も、例えば、燐青銅板材とされる金属材料によって形成されるが、他のいずれかの部分との電気的接続はなされていず、かつ、他のいずれかの部分との接触状態にもおかれない。
【００４０】
複数のシグナルコンタクト１５と複数のシグナルコンタクト１６とを含んだ複数のプラグ側シグナルコンタクトにおける複数の同軸ケーブル１２のシグナル導体が夫々連結された部分は、外部からの電磁波ノイズ対策のため、プラグコネクタ１１の上面側において導電材料で形成された導電性カバー２０によって覆われており、また、プラグコネクタ１１の下面側において導電材料で形成された導電性シェル２１によって覆われている。導電性カバー２０には、その長手方向（プラグコネクタ１１の長手方向）における両端部に、リセプタクルコネクタとの相互嵌合状態におかれたプラグコネクタ１１がリセプタクルコネクタから抜去される際に抜去用手掛り部とされる一対の突出部２０ａが形成され、さらに、一対の突出部２０ａの間に、複数の半田導入孔２０ｂが形成されている。また、導電性シェル２１には、その長手方向（プラグコネクタ１１の長手方向）における両端部に、導電性カバー２０の一対の突出部２０ａに夫々係合する一対の突出部２２が形成されている。
【００４１】
導電性シェル２１は、絶縁ハウジング１３にインサート成形により設けられており、絶縁ハウジング１３に保持されて、接続嵌合部１８の長手方向、即ち、コンタクト配列方向に伸びるものとされた帯状部２３を有したものとされている。前述の一対の突出部２２は、帯状部２３のコンタクト配列方向における両端部に形成されていることになる。
【００４２】
図３に示されるように、導電性シェル２１には、一対の突出部２２及び帯状部２３に加えて、一対の突出部２２の夫々の近傍にリセプタクルコネクタとの係合部２４が設けられている。そして、帯状部２３には複数の半田導入孔２５が形成されており、帯状部２３における半田導入孔２５が形成された領域を含んで帯状部２３の長手方向に伸びる部分は、後述される図７に示されるグラウンド連結部材３０との半田付け接続がなされる第１のグラウンド接続部２６とされている。また、帯状部２３の長手方向に沿う一対の対向側縁部２７及び２８のうちの一方である側縁部２７には、それから突出するものとして形成され、グラウンドコンタクト１７との半田付け接続がなされる第２のグラウンド接続部２９が設けられている。
【００４３】
従って、導電性シェル２１は、その長手方向（コンタクト配列方向）に伸びるものとされた帯状部２３の一部であってグラウンド連結部材３０との半田付け接続がなされる第１のグラウンド接続部２６と、帯状部２３の長手方向に沿う一対の対向側縁部２７及び２８のうちの一方である側縁部２７から突出するものとして形成され、グラウンドコンタクト１７との半田付け接続がなされる第２のグラウンド接続部２９とを備えていることになる。第２のグラウンド接続部２９は、その先端に二股部が設けられており、この二股部は、グラウンドコンタクト１７を保持する役割を果たす。そして、第１のグラウンド接続部２６がグラウンド連結部材３０との半田付け接続がなされ、第２のグラウンド接続部２９がグラウンドコンタクト１７との半田付け接続がなされることにより、グラウンドコンタクト１７にグラウンド電位が与えられるときには、そのグラウンド電位が、導電性シェル２１を介して、グラウンド連結部材３０に伝達される。
【００４４】
図４は、図３に示される導電性シェル２１に、複数のシグナルコンタクト１５，複数のシグナルコンタクト１６，グラウンドコンタクト１７及び一対のダミーコンタクト１９が組み合わされた状態を示す。導電性シェル２１に複数のシグナルコンタクト１５，複数のシグナルコンタクト１６，グラウンドコンタクト１７及び一対のダミーコンタクト１９が組み合わされたもとでは、導電性シェル２１が有する帯状部２３の側縁部２７に形成された第２のグラウンド接続部２９が、その先端に設けられた二股部をグラウンドコンタクト１７にその一端部（導電性シェル２１における帯状部２３側の端部）を挟むようにして係合させ、それによってグラウンドコンタクト１７を保持する状態におかれる。
【００４５】
なお、導電性シェル２１に形成される第２のグラウンド接続部２９は、その先端に二股部が設けられることを必須とするものではなく、二股部が設けられることなく、グラウンドコンタクト１７の端部に接触係合するものとされてもよい。
【００４６】
図４に示されるように組み合わされた導電性シェル２１，複数のシグナルコンタクト１５，複数のシグナルコンタクト１６，グラウンドコンタクト１７及び一対のダミーコンタクト１９が、絶縁材料である合成樹脂が用いられて行われる絶縁ハウジング１３の樹脂成形による形成に供される。そして、斯かる樹脂成形の結果、図５に示される、複数のシグナルコンタクト１５，複数のシグナルコンタクト１６，グラウンドコンタクト１７，一対のダミーコンタクト１９及び導電性シェル２１が配された絶縁ハウジング１３が得られる。従って、樹脂成形により絶縁ハウジング１３が形成される際に、その絶縁ハウジング１３に、導電性シェル２１がインサート成形により設けられ、さらに、複数のシグナルコンタクト１５，複数のシグナルコンタクト１６，グラウンドコンタクト１７及び一対のダミーコンタクト１９が、導電性シェル２１と共にインサート成形により配置されることになる。
【００４７】
このとき、導電性シェル２１に形成された第２のグラウンド接続部２９とグラウンドコンタクト１７とは、第２のグラウンド接続部２９がグラウンドコンタクト１７の端部に係合した状態をもってインサート成形に供される。従って、導電性シェル２１に形成された第２のグラウンド接続部２９とグラウンドコンタクト１７との係合が、相互間の位置ずれ等を生じることなく、確実に維持される。
【００４８】
図５に示される鎖線枠Ｚにより囲まれた部分を拡大図示する図６に示されるように、樹脂成形により絶縁ハウジング１３が形成されたもとにあっては、導電性シェル２１が有する帯状部２３の側縁部２７に形成された第２のグラウンド接続部２９の先端を成す二股部が、グラウンドコンタクト１７に、その端部をプラグコネクタ１１の下面を形成することになる導電性シェル２１の帯状部２３側から挟むようにして係合し、それによってグラウンドコンタクト１７を保持している。そして、第２のグラウンド接続部２９の先端を成す二股部は、グラウンドコンタクト１７と一対のダミーコンタクト１９の夫々との間に配される。
【００４９】
図７は、図５に示されるように、複数のシグナルコンタクト１５，複数のシグナルコンタクト１６，グラウンドコンタクト１７，一対のダミーコンタクト１９及び及び導電性シェル２１が配された絶縁ハウジング１３に、さらに、グラウンド連結部材３０を伴った複数の同軸ケーブル１２が設置された状態を示す。複数の同軸ケーブル１２の夫々は、その一端部側がシグナル導体３１とグラウンド導体３２（図９に示される）とが露出するように加工されている。そして、複数の同軸ケーブル１２の夫々のシグナル導体３１は、複数のシグナルコンタクト１５及び複数のシグナルコンタクト１６のうちの対応するものに接触する状態におかれる。また、グラウンド連結部材３０は、コンタクト配列方向、即ち、絶縁ハウジング１３の長手方向に伸びており、複数の同軸ケーブル１２の夫々のグラウンド導体３２に半田付け接続されていて、それにより、各同軸ケーブル１２のグラウンド導体３２を電気的に連結するものとされている。また、複数の同軸ケーブル１２の夫々のシグナル導体３１は、複数のシグナルコンタクト１５及び複数のシグナルコンタクト１６のうちの対応するものにおける一端部（導電性シェル２１の帯状部２３側の端部）に接触する状態におかれる。
【００５０】
図７には示されていないが、グラウンド連結部材３０は、一対配されていて、一対のグラウンド連結部材３０は、各々がコンタクト配列方向に伸びていて、複数のケーブル１２を挟んで相互対向するものとされている。そして、一対のグラウンド連結部材３０のうちの図７に現れていないものが、導電性シェル２１における帯状部２３の一部であってコンタクト配列方向、即ち、絶縁ハウジング１３の長手方向に伸びる第１のグラウンド接続部２６に接触する状態におかれる。
【００５１】
図８は、プラグコネクタ１１についての製造工程の一つを示す。この図８に示される工程にあっては、図７に示されるように絶縁ハウジング１３にグラウンド連結部材３０を伴った複数の同軸ケーブル１２が設置されたもとで、複数の同軸ケーブル１２のシグナル導体３１が複数のシグナルコンタクト１５の端部及び複数のシグナルコンタクト１６の端部に夫々接触する部分にパルスヒート装置３３の加熱部３３ａが配され、複数の同軸ケーブル１２の夫々のシグナル導体３１についての複数のシグナルコンタクト１５及び複数のシグナルコンタクト１６のうちの対応するものの端部への半田付け接続が、パルスヒート方式により一括して行われる。その際には、例えば、予め、コンタクト配列方向に配列配置された複数の同軸ケーブル１２のシグナル導体３１上にコンタクト配列方向に伸びる糸半田が配され、その後、パルスヒート方式による半田付けが行われる。
【００５２】
このようにして、複数の同軸ケーブル１２の夫々のシグナル導体３１についての複数のシグナルコンタクト１５及び複数のシグナルコンタクト１６のうちの対応するものの端部への半田付け接続がパルスヒート方式により一括して行われるとき、それとともに、図６に示されるようにグラウンドコンタクト１７の端部を保持する、導電性シェル２１が有する帯状部２３の側縁部２７に形成された第２のグラウンド接続部２９の先端を成す二股部が、グラウンドコンタクト１７の端部に半田付け接続される。即ち、複数の同軸ケーブル１２の夫々のシグナル導体３１についての複数のシグナルコンタクト１５及び複数のシグナルコンタクト１６のうちの対応するものへの半田付け接続と、導電性シェル２１が有する帯状部２３の側縁部２７に形成された第２のグラウンド接続部２９についてのグラウンドコンタクト１７との半田付け接続が、パルスヒート方式により同時に行われるのである。導電性シェル２１に形成された第２のグラウンド接続部２９についてのグラウンドコンタクト１７の端部との半田付け接続も、例えば、予め、コンタクト配列方向に配列配置された複数の同軸ケーブル１２のシグナル導体３１上に配されたコンタクト配列方向に伸びる糸半田が利用されて行われる。
【００５３】
その際、絶縁ハウジング１３には、図６に示されるように、導電性シェル２１に形成された第２のグラウンド接続部２９が半田付け接続されるグラウンドコンタクト１７の端部を挟んで配された一対のダミーコンタクト１９が設けられているので、導電性シェル２１に形成された第２のグラウンド接続部２９のグラウンドコンタクト１７の端部への半田付けにおいて余分とされる半田が、グラウンドコンタクト１７とダミーコンタクト１９との間に溜められ、不所望な流出を生じる事態が防止される。
【００５４】
このようにして、絶縁ハウジング１３に設けられる、複数の同軸ケーブル１２のシグナル導体３１と複数のシグナルコンタクト１５の端部及び複数のシグナルコンタクト１６の端部との半田付け接続部，複数の同軸ケーブル１２のグラウンド導体３２に半田付け接続されたグラウンド連結部材３０、及び、グラウンドコンタクト１７の端部と導電性シェル２１に形成された第２のグラウンド接続部２９との半田付け接続部等は、絶縁ハウジング１３の上面側を部分的に覆うものとされる金属製の導電性カバー２０によって覆われる。
【００５５】
図１におけるIX−IX線断面を示す断面図である図９に示されるように、一対のグラウンド連結部材３０によって挟まれたグラウンド導体３２を有した同軸ケーブル１２のシグナル導体３１がシグナルコンタクト１５もしくは１６の端部に半田付け接続されるとともに、導電性シェル２１が有する帯状部２３の側縁部２７から突出するものとして形成された第２のグラウンド接続部２９がグラウンドコンタクト１７の端部に半田付け接続されたもとで、一対のグラウンド連結部材３０のうちの一方（図９において上方側のもの）が、導電性カバー２０の内面に、半田３５をもって半田付け接続され、また、一対のグラウンド連結部材３０のうちの他方（図９において下方側のもの）が、導電性シェル２１が有する帯状部２３の一部を成す第１のグラウンド接続部２６の内面に、半田３５をもって半田付け接続される。一対のグラウンド連結部材３０のうちの一方と導電性カバー２０の内面との半田付け接続には、導電性カバー２０に形成された複数の半田導入孔２０ｂが、半田３５の導入に利用され、また、一対のグラウンド連結部材３０のうちの他方と導電性シェル２１における第１のグラウンド接続部２６の内面との半田付け接続には、導電性シェル２１に形成された複数の半田導入孔２５が、半田３５の導入に利用される。
【００５６】
図１０は、上述のようなプラグコネクタ１１が、リセプタクルコネクタ４１に差込み接続された状態を示す。
【００５７】
図１０に示されるリセプタクルコネクタ４１は、合成樹脂等の絶縁材料によって形成されたリセプタクル側絶縁ハウジング４２を備えている。リセプタクル側絶縁ハウジング４２には、その一側端面部に、プラグコネクタ１１の絶縁ハウジング１３が形成する接続嵌合部１８が差し込まれる嵌合口部４３が設けられており、嵌合口部４３からリセプタクル側絶縁ハウジング４２の内部へと接続嵌合部収容空間が伸びている。リセプタクル側絶縁ハウジング４２は、例えば、図示されていない配線基板に配され、それにより、リセプタクルコネクタ４１の全体が配線基板に取り付けられたものとされる。
【００５８】
また、リセプタクルコネクタ４１は、リセプタクル側絶縁ハウジング４２における嵌合口部４３の周囲部分や嵌合口部４３が設けられた一側端面部に対向する他側端面部等を除いた残りの部分を覆う導電性シェル４４を備えている。即ち、導電性シェル４４は、リセプタクル側絶縁ハウジング４２を部分的に覆っているのである。この導電性シェル４４は、金属板が加工成形されて構成されており、例えば、リセプタクルコネクタ４１における外部からの電磁波ノイズに対するシールド効果を得るためのものとして、備えられている。
【００５９】
導電性シェル４４には、その長手方向（リセプタクルコネクタ４１の長手方向（左右方向））における両端部に、複数の基板取付部４４ａが設けられている。これらの基板取付部４４ａは、リセプタクルコネクタ４１の全体が配線基板に取り付けられるとき、当該配線基板に、例えば、半田付けにより固着される。また、導電性シェル４４には、複数のグラウンド接続部４４ｂも設けられており、これらのグラウンド接続部４４ｂは、リセプタクルコネクタ４１の全体が配線基板に取り付けられるとき、当該配線基板におけるグラウンド用回路に接続される。
【００６０】
リセプタクルコネクタ４１には、その長手方向（左右方向）に沿って配列配置されている、各々が導電材料で形成された複数のリセプタクル側シグナルコンタクト４５が備えられている。複数のリセプタクル側シグナルコンタクト４５には、プラグコネクタ１１の絶縁ハウジング１３が形成する接続嵌合部１８が、嵌合口部４３を通じて接続嵌合部収容空間内に差し込まれるとき、その接続嵌合部１８に配された複数のシグナルコンタクト１６の接触部１６ａが夫々接触接続される。また、リセプタクルコネクタ４１には、その長手方向（左右方向）に沿って配列配置されて、プラグコネクタ１１の絶縁ハウジング１３が形成する接続嵌合部１８が、嵌合口部４３を通じて接続嵌合部収容空間内に差し込まれるとき、その接続嵌合部１８に配された複数のシグナルコンタクト１５の接触部１５ａが夫々接触接続される、各々が導電材料で形成された複数のリセプタクル側シグナルコンタクトも備えられているが、それらは図には現れていない。
【００６１】
斯かる複数のシグナルコンタクト１５の接触部１５ａが夫々接触接続される複数のリセプタクル側シグナルコンタクトと複数のシグナルコンタクト１６の接触部１６ａが夫々接触接続される複数のリセプタクル側シグナルコンタクト４５とは、リセプタクルコネクタ４１の長手方向（左右方向）に沿って交互に配されており、各々の一端が、リセプタクル側絶縁ハウジング４２の外部に突出して、リセプタクルコネクタ４１が取り付けられた配線基板におけるシグナル用回路の端子部に接続される。それにより、嵌合口部４３にプラグコネクタ１１の絶縁ハウジング１３が形成する接続嵌合部１８が、嵌合口部４３を通じて接続嵌合部収容空間内に差し込まれて、複数のシグナルコンタクト１５の接触部１５ａが複数のリセプタクル側シグナルコンタクトに夫々接触接続されるとともに、複数のシグナルコンタクト１６の接触部１６ａが複数のリセプタクル側シグナルコンタクト４５に夫々接触接続されるとき、複数のシグナルコンタクト１５の端部及び複数のシグナルコンタクト１６の端部に夫々半田付け接続された複数の同軸ケーブル１２のシグナル導体３１が、複数のシグナルコンタクト１５及び複数のリセプタクル側シグナルコンタクトを介して、さらには、複数のシグナルコンタクト１６及び複数のリセプタクル側シグナルコンタクト４５を介して、リセプタクルコネクタ４１が取り付けられた配線基板におけるシグナル用回路に連結される。
【００６２】
さらに、リセプタクルコネクタ４１には、交互に配列配置された複数のシグナルコンタクト１５の接触部１５ａが夫々接触接続される複数のリセプタクル側シグナルコンタクト及び複数のシグナルコンタクト１６の接触部１６ａが夫々接触接続される複数のリセプタクル側シグナルコンタクト４５の略中央となる位置に、プラグコネクタ１１の絶縁ハウジング１３が形成する接続嵌合部１８が、嵌合口部４３を通じて接続嵌合部収容空間内に差し込まれるとき、その接続嵌合部１８に配されたグラウンドコンタクト１７の接触部１７ａが接触接続される、導電材料で形成されたリセプタクル側グラウンドコンタクト４６（図１１）が備えられている。
【００６３】
図１０におけるXI−XI線断面を示す図１１に示されるように、リセプタクル側グラウンドコンタクト４６は、二股状部を成す一対の上アーム部５１及び下アーム部５２を有している。上アーム部５１には、その先端部分に接点部５３が形成されており、また、下アーム部５２には、その中間部分に接点部５４が形成されているとともに、接点部５４を挟む両端部分に接続端子部５５とリセプタクル側絶縁ハウジング４２により保持される係止部５６とが夫々形成されている。下アーム部５２の一端部分に形成された接続端子部５５は、リセプタクルコネクタ４１の全体が配線基板に取り付けられるとき、当該配線基板におけるグラウンド用回路の端子部に、例えば、半田付けされて電気的に接続される。
【００６４】
そして、プラグコネクタ１１の絶縁ハウジング１３が形成する接続嵌合部１８が、嵌合口部４３を通じて接続嵌合部収容空間内に差し込まれたもとにあっては、リセプタクル側グラウンドコンタクト４６は、接続嵌合部１８に配されたグラウンドコンタクト１７における接続部１７ａに押圧接触する。その際、リセプタクル側グラウンドコンタクト４６における上アーム部５１と下アーム５２とが接続嵌合部１８を挟む位置をとり、上アーム部５１に形成された接点部５３が図１１における上方側から、また、下アーム部５２に形成された接点部５４が図１１における下方側から、グラウンドコンタクト１７における接続部１７ａに夫々当接して、グラウンドコンタクト１７との電気的接続状態をとるとともに、接続嵌合部１８を保持する。
【００６５】
それにより、嵌合口部４３にプラグコネクタ１１の絶縁ハウジング１３が形成する接続嵌合部１８が、嵌合口部４３を通じて接続嵌合部収容空間内に差し込まれて、リセプタクル側グラウンドコンタクト４６が、接続嵌合部１８に配されたグラウンドコンタクト１７における接続部１７ａに押圧接触するとき、グラウンドコンタクト１７の端部に半田付け接続された第２のグラウンド接続部２９を有する導電性シェル２１の帯状部２３における第１のグラウンド接続部２６に半田付け接続された、グラウンド連結部材３０により連結された複数の同軸ケーブル１２のグラウンド導体３２が、グラウンドコンタクト１７及びリセプタクル側グラウンドコンタクト４６を介して、リセプタクルコネクタ４１が取り付けられた配線基板におけるグラウンド用回路に連結される。
【００６６】
上述のような本発明に係るコネクタ装置の一例を成す水平差込型のプラグコネクタ１１にあっては、複数のシグナルコンタクト１５及び１６に夫々接続されるシグナル導体３１を有した複数の同軸ケーブル１２のグラウンド導体３２を電気的に連結するグラウンド連結部材３０を、リセプタクルコネクタ４１に配されたリセプタクル側グラウンドコンタクト４６に接触する接触部１７ａを有するグラウンドコンタクト１７に電気的に接続するにあたり、絶縁ハウジング１３にインサート成形により設けられ、絶縁ハウジング１３により保持されてコンタクト配列方向に伸びる帯状部２３を有し、その帯状部２３に設けられた第１のグラウンド接続部２６と第２のグラウンド接続部２９とを備えた導電性シェル２１が用いられ、導電性シェル２１が備える第１のグラウンド接続部２６がグラウンド連結部材３０に半田付け接続されるとともに第２のグラウンド接続部２９がグラウンドコンタクト１７に半田付け接続されることにより、グラウンド連結部材３０が導電性シェル２１を介してグラウンドコンタクト１７に電気的に接続される状態が得られる。
【００６７】
このようにして、グラウンド連結部材３０が導電性シェル２１を介してグラウンドコンタクト１７に電気的に接続される状態が得られることにより、導電性シェル２１が備える第１のグラウンド接続部２６及び第２のグラウンド接続部２９とグラウンドコンタクト１７とは、それらのいずれもが、弾性を有していて接触相手に対して弾性押圧力を作用させるものとされる必要がない。それゆえ、導電性シェル２１が備える第１のグラウンド接続部２６及び第２のグラウンド接続部２９とグラウンドコンタクト１７との夫々は、弾性を活かすための形状，比較的大なる寸法，周囲スペース等を必要としない、十分な小型化を図れるものとなり、その結果、プラグコネクタ１１は、全体の大型化がまねかれるという不都合を伴わないことになる。
【００６８】
また、プラグコネクタ１１にあっては、導電性シェル２１が備える第２のグラウンド接続部２９との半田付け接続がなされるグラウンドコンタクト１７は、絶縁ハウジング１３が形成される際に、その絶縁ハウジング１３に、第１のグラウンド接続部２６及び第２のグラウンド接続部２９を備えた導電性シェル２１と共に、インサート成形により配置されるので、導電性シェル２１が備える第２のグラウンド接続部２９とグラウンドコンタクト１７とは、正確に位置決めされるとともに相互間の位置ズレが生じないものとされて絶縁ハウジング１３に配される。従って、導電性シェル２１が備える第２のグラウンド接続部２９とグラウンドコンタクト１７との正確な位置合せ及びその後の位置ズレ防止のための作業を必要とすることなく、第２のグラウンド接続部２９がグラウンドコンタクト１７に半田付け接続された状態を得ることができる。また、導電性シェル２１が備える第１のグラウンド接続部２６とグラウンド連結部材３０との接続は、グラウンド連結部材３０がコンタクト配列方向に伸びているもとでなされるので、第１のグラウンド接続部２６とグラウンド連結部材３０との格別の位置合わせのための作業は必要とされない。その結果、導電性シェル２１が備える第１のグラウンド接続部２６がグラウンド連結部材３０に半田付け接続されるとともに第２のグラウンド接続部２９がグラウンドコンタクト１７に半田付け接続された状態を得るにあたり、作業工程が増加するとともに製造コストが嵩む事態を回避できる。
【００６９】
第２のグラウンド接続部２９のグラウンドコンタクト１７への半田付け接続は、例えば、複数の同軸ケーブル１２の夫々のシグナル導体３１の複数のシグナルコンタクト１５及び１６のうちの対応するものへの半田付け接続とともに、パルスヒート方式による一括半田付けによって行うことができる。その際、複数のシグナルコンタクト１５及び１６の接触部１５ａ及び１６ａとグラウンドコンタクト１７の接触部１７ａとが配列配置される絶縁ハウジング１３が形成する接続嵌合部１８に、グラウンドコンタクト１７の接触部１７ａを挟んで配される一対のダミーコンタクト１９が設けられているので、余分な半田がグラウンドコンタクト１７とダミーコンタクト１９との間に溜められることになり、第２のグラウンド接続部２９のグラウンドコンタクト１７への半田付け接続を確実に行うことができるとともに、余分な半田が不所望な流出を生じる事態を防止することができる。
【００７０】
さらに、プラグコネクタ１１にあっては、上述のようにしてグラウンド連結部材３０が導電性シェル２１を介してグラウンドコンタクト１７に電気的に接続される状態が得られるので、グラウンド連結部材３０をグラウンドコンタクト１７に電気的に接続するにあたって、特殊なグラウンド連結部材を必要とせず、これよりしても、製造コストが嵩む事態を回避できることになる。
【産業上の利用可能性】
【００７１】
以上のような本発明に係るコネクタ装置は、例えば、ソリッド配線基板に取り付けられたリセプタクルコネクタとの差込接続に供される水平差込型のプラグコネクタとして用いることができ、それに連結される複数の同軸ケーブルの夫々におけるグラウンド導体を電気的に連結するグラウンド連結部材とグラウンドコンタクトとの電気的接続を、製造コストが嵩む事態を回避できるもとで容易かつ確実に行うことができ、しかも、特殊なグラウンド連結部材等を必要とすることがないものとして、様々な電子機器等に広く適用され得るものである。
【符号の説明】
【００７２】
１１・・・プラグコネクタ，  １２・・・同軸ケーブル，  １３・・・絶縁ハウジング，  １５，１６・・・シグナルコンタクト，  １５ａ，１６ａ，１７ａ・・・接触部，  １７・・・グラウンドコンタクト，  １８・・・接続嵌合部，  １９・・・ダミーコンタクト，  ２０導電性カバー，  ２０ｂ，２５・・・半田導入孔，  ２１，４４・・・導電性シェル，  ２３・・・帯状部，  ２６・・・第１のグラウンド接続部，  ２７，２８・・・（帯状部２３の）側縁部，  ２９・・・第２のグラウンド接続部，  ３０・・・グラウンド連結部材，  ３１・・・シグナル導体，  ３２・・・グラウンド導体，  ４１・・・リセプタクルコネクタ，  ４２・・・リセプタクル側絶縁ハウジング，  ４３・・・嵌合口部，  ４５・・・リセプタクル側シグナルコンタクト，  ４６・・・リセプタクル側グラウンドコンタクト，  ５１・・・上アーム部，  ５２・・・下アーム部，  ５３，５４・・・接点部，  ５５・・・接続端子部，  ５６・・・係止部
【図１】
2011165357.tif 000003
【図２】
2011165357.tif 000004
【図３】
2011165357.tif 000005
【図４】
2011165357.tif 000006
【図５】
2011165357.tif 000007
【図６】
2011165357.tif 000008
【図７】
2011165357.tif 000009
【図８】
2011165357.tif 000010
【図９】
2011165357.tif 000011
【図１０】
2011165357.tif 000012
【図１１】
2011165357.tif 000013